(57)【特許請求の範囲】
【請求項１】
送信中チャンネルコーディングと差分コーディングを連続して受け、得られたコードされたデジタル信号が配列の記号へ割り当てられ、受信された記号に応じてメトリックを計算する差分デコード手段と、計算されたメトリックに応じてデコードされたデジタル信号を生成するためのチャンネルデコーディング手段とを有するデジタル信号用受信機であって、差分デコード手段は受信された記号の各々に対して配列が受ける回転位相を評価し、該受信された記号を元の位相へ戻す第一の手段と、元の位相へ戻された受信された記号に応じて最適なメトリックを計算する第二の手段とを有することを特徴とするデジタル信号用受信機。
【請求項２】
差分デコード手段は、記号に影響を与える平均ノイズ出力を計算し、平均ノイズに関する各受信記号を正規化する第三の手段を有することを特徴とする請求項１記載の受信機。
【請求項３】
差分デコード手段は、種々の記号について平均ノイズに関して正規化された平均振幅を測定し、該元の位相へ戻された受信された記号と正規化された平均振幅とに基づいて該最適化メトリックを計算する第四の手段を有することを特徴とする請求項１又は２記載の受信機。
【請求項４】
該第一の手段及び／又は第二の手段及び／又は第三の手段及び／又は第四の手段は適切にプログラムされたコンピュータを有することを特徴とする請求項１乃至３のうちいずれか一項に記載の受信機。
【請求項５】
該第二の手段はあらかじめ計算されたメトリックを格納するメモリを有することを特徴とする請求項１乃至４のうちいずれか一項に記載の受信機。
【請求項６】
デジタル記号はモノキャリア又はマルチキャリアにより送信され、受信機はモノキャリア又はマルチキャリア用の差分デコード手段を有することを特徴とする請求項１乃至５のうちいずれか一項に記載の受信機。
【発明の詳細な説明】
【０００１】
【産業上の利用分野】
本発明は送信中チャンネルコーディングと差分コーディングを連続して受け、得られたコードされたデジタル信号が配列の記号へ割り当てられ、受信された記号に応じてメトリック（測定基準）を計算する差分デコード手段と、計算された測定基準に応じてデコードされたデジタル信号を生成するためのチャンネルデコーディング手段とよりなるデジタル信号用受信機に係わる。
【０００２】
【従来の技術】
空中又はケーブルによる送信に対する通信技術はデジタル的にコードされた記号による一または種々のキャリアの変調を用いる。これらの技術のうちで送信に先立って送信記号の位相が記号の位相に関してコードされる差分変調を使用することが望ましい。これは、受信時記号間の位相差の決定により受信された記号をデコードすることが有利であることを示す。送信される二進データは一般的な妨害された送信状況下において送信信頼性を確保するための様々なプロセスを一般に受ける。これらの中でもコンボリューションコーディングは記号の時分割／周波数分割インターリービングを伴なってしばしば実施される。代わりに、ブロックコーディングを実施してもよい。
【０００３】
このようなプロセスはマルチキャリア送信への応用の場合にフランス特許明細書第２  ６３９  ４９５号に記載されている。この公報で本発明に関する特徴のみを考えると、受信側において、記号の時分割／周波数分割デインターリービング及びビテルビ（Ｖｉｔｅｒｂｉ）デコーディングと呼ばれる最尤デコーディングを伴なう受信された記号の差分復調をおこなうことが示されている。
【０００４】
上記差分復調器は、受信された記号の列ｒ０  ，ｒ１  ，．．．ｒＮ  ，に応じて、ｒ’ｋ  ＝ｒｋ  ｒ＊  ｋ  −  １  となるように、列ｒ’１  ．．．ｒ’Ｎ  ，を生成することよりなる。ここで、ｒ＊  ｋ  −  １  はｒｋ  −  １  の複素共役を表し、ｋはカレントインデックスを表す。
列ｒ’１  ．．．ｒ’Ｎ  ，に基づく各受信された記号ｒＫ  に対し、コードされた情報ビットに関する測定基準である実部Ｒｅ（ｒ’Ｋ  ）が決定され、他のコードされた情報ビットが関連する測定基準である虚部Ｉｍ（ｒ’Ｋ  ）が決定される。斯くして形成された測定基準列は、その後、初期情報のビットを再生するコンボリューションデコーディングを伴なうデインターリービングを受ける。コンボリューションコーディングの場合、ビテルビデコーダーが用いられる。
【０００５】
しかしこれらの測定基準は、デコーディングが最適な結果をもたらさない近似的な測定基準である。
【０００６】
【発明が解決しようとする課題】
本発明の一つの目的はこのような記号デコーディングメカニズムを用いる受信機の性能を向上させることにある。
【０００７】
【課題を解決するための手段】
この目的は、差分デコード手段は各受信された記号に対して配列が受ける回転位相を評価し、該受信された記号をそれの元の位相へ戻す第一の手段と、元の位相へ戻された受信された記号に応じて最適な測定基準を計算する第二の手段とからなる受信機によって達成される。
【０００８】
各記号に対しその元の位相及び最適な測定基準を決定することにより、最適な結果がコンボリューションデコーダの出力に得られる。かくて、本発明は実質的性能向上を提供する。
性能を更に向上させるために、特定の実施例において、デコーディング中に記号に先立って送信された種々の記号について現われる平均ノイズレベルが確立される。現在の記号のデコーディングを遅延する遅延手段がある場合、これはデコーディング中の記号の前及び後で送信された記号に関係する。ゆえに、受信機は平均ノイズレベルを計算する計算手段からなり、一方、現在の記号のモジュラスは平均ノイズに関して正規化される。加えるに最適な測定基準の続く計算に対し、記号の列について決定された平均振幅を計算し、平均ノイズに関するこの平均振幅を正規化することは可能である。
【０００９】
各記号の元の位相、平均ノイズに関して正規化された記号、及び平均記号振幅に関する基準は適切にコンピュータをプログラムすることにより又は専用のユニットにより得られうる。最適な測定基準を計算する計算手段は予め計算された測定基準を格納するメモリからなる。メモリは元の位相に戻された記号の実部と虚部によりアドレスされる。
【００１０】
本発明はマルチキャリア変調、例えば、直交周波数分割マルチプレックス（ＯＦＤＭ）マルチキャリア変調と同様に、モノキャリア変調によっても実施できる。
本発明の種々の面とその他の面は以下に記述する実施例に基づき説明され、明らかになろう。
【００１１】
【実施例】
以下に送信及び受信端に夫々インターリービングとデインターリービングがある好適な実施例について本発明を説明する。
図１に差分デコーディングユニット１０とデインターリーバー１２とコンボリューションデコーダー１４からなる受信機５を示す。差分デコーディングユニット１０は記号Ｖｋ  を受信し、測定基準（バス１１）を生成する。これらの測定基準は、時分割／周波数分割デインターリービング処理を受け、デコードされたビット列Ｂを形成するようデコーダー１４によりデコードされるデインターリーブされた測定基準（バス１３）を生成する。
【００１２】
本発明によれば、差分デコーディングユニット（１０）は夫々Ｒｅ（ｒ’ｋ  ）とＩｍ（ｒ’ｋ  ）で代替される最適測定基準Ｍｋ  ａ  とＫｋ  ｂ  を生成する。これにより、２つの連続した記号の間の位相差のみが考慮された従来技術とは逆に；受信された記号の元の位相を知ることが必要となる。ユニット１０（図４）は受信された記号のための位相計算／補正ユニット１０２と最適測定基準を計算する計算ユニット１１０よりなる。
【００１３】
ユニット１０２は位相ロックドループ（図２）である。このユニットは位相が再調整された受信された記号ｚｋ  を生成する。実施例では、このユニットは受信された記号をその元の位相に戻す位相評価器１０４と掛算器１０６からなる：
【００１４】
【数１】
0003592357.tif 000002
【００１５】
ここで、θｋ  は配列の位相回転に対応する。例としてＤＡＢ（デジタルオーディオ放送）規格に応じて送信された記号に対する位相評価の場合を考えてみよう。この場合、送信時、差分変調は差分コーディングの実施と等価であり、次にコードされたビットのＱＰＳＫ配列の記号への割当て及び、その後この配列をπ／４回転させることが行なわれる。この場合、ユニット１０４は以下に示す漸化式により、位相回転の評価θｋ  を各記号に対し計算する。
【００１６】
（２）      θｋ  ＝π／４＋θＫ−１  ＋λ・αｋ  
ここで、αｋ  はモジュロ−π／２により期間〔−π／４，π／４〕で回復された記号
【００１７】
【外１】
0003592357.tif 000003
【００１８】
の位相であり、λは収束係数である。
チャンネルがチャンネルノイズを同様に変動させる変動を受ける場合、位相回復ユニット１０２は、変動係数σを特徴とするノイズ測定及び／又は受信された記号の列に亘って決定された記号の平均振幅Ｓの測定もまた実行しうる。この場合、ユニット１０２は記号ｒｋ  の受信中に測定された平均振幅Ｓｋ  の評価値Ａを生成し、振幅Ｓｋ  はノイズに関して次式で正規化され：
（３）      Ａｋ  ＝Ｓｋ  ／σｋ                                （図３）、ユニット１０２は位相再調整受信記号ｚｋ  を正規化するためにノイズの計算を考慮し、これにより以下の関係が得られる：
【００１９】
【数２】
0003592357.tif 000004
【００２０】
平均ノイズレベルを測定するため、ユニット１０２は平均振幅Ｓｋ  を測定するユニット１０５と信号のパワーを測定するユニット１０３とよりなる。ユニット１０５と１０３でそれぞれ測定された平均振幅とパワーレベルはノイズ測定ユニット１０７で平均ノイズレベルを計算するのに使用される。この平均レベルは循環する一連の種々の記号について計算される。ユニット１０７はノイズの分散σｋ  の測定をする。ミキサー１０８はσｋ  とＳｋ  を受け、そしてノイズに関して正規化された振幅Ａｋ  を生成する。Ａｋ  ＝Ｓｋ  ／σｋ  となるように差分デコーディングユニット１０はノイズに関する正規化された平均振幅を決定できず、この場合ミキサー１０８は発生しない。
【００２１】
ｚｋ  及びおそらくＡｋ  も式（１），（２），（３），（４）のうち少なくとも１つの計算を実施するよう適切にプログラムされたコンピュータよりなるユニット１０２により決定されうる。
記号ｚｋ  と正規化された平均振幅Ａｋ  は測定基準を計算するユニット１１０により使用される。差分デコーディングユニット１０（図４）はまた測定基準（Ｍｋ  ａ  ，Ｍｋ  ｂ  ）を計算するユニット１０２及び１１０よりなる。
【００２２】
測定基準は送信ビットに関連する。グレイコーディングと差分コーディングを用いるＱＰＳＫ変調の場合、従来技術の範囲ではビットｅｋ  ａ  はＲｅ（ｒ’ｋ  ）に関連し、他のビットｅｋ  ｂ  はＩｍ  （ｒ’ｋ  ）に関連していた。本発明の範囲では、ｅｋ  ａ  はＭｋ  ａ  に関連し、ｅｋ  ｂ  はＭｋ  ｂ  に関連する。測定基準Ｍｋ  ａ  は、ｅｋ  ａ  が１に等しいことを知る受信確立ｚｋ−１  及びｚｋ  とｅｋ  ａ  が０に等しいことを知る受信確立ｚＫ−１  及びｚｋ  との間の比のアルゴリズムとして次式のように定義される：
【００２３】
【数３】
0003592357.tif 000005
【００２４】
Ｍｋ  ｂ  は同様にして定義される。
この計算は、考慮すべき変調の点からみて、この測定基準は次式のようにその値を有することを示している。
【００２５】
【数４】
0003592357.tif 000006
【００２６】
ここで、
【００２７】
【数５】
0003592357.tif 000007
【００２８】
平均振幅Ａｋ  がユニット１０２により生成されない場合、一定値がこのユニットに割当られ、同じ式が適用される。
システムの完全なバージョンでは、ユニット１１０は、各記号ｒｋ  に対し、位相補正をうけ、ノイズに関して正規化された記号ｚｋ  の虚部Ｉｍ（ｚｋ  ）と実部Ｒｅ（ｚｋ  ）を受け、ノイズに関して正規化された平均振幅値Ａｋ  を受ける。
【００２９】
それからユニット１１０は最適な測定基準を計算する。
第１実施例では、測定基準は信号プロセッサで計算される。上記計算アルゴリズムを以下にＤＡＢ規格に対応した例として詳細に説明する。
このアルゴリズムは２×４の要素を有する１つの表ｕ、４×４の要素を有する１つの表ｃ、及び以下に定義される４つの要素を有する２つの表ａとｂを用いる：
ａ［０］＝１，ａ［１］＝０，ａ［２］＝０，ａ［３］＝１，ｂ［０］＝１，ｂ［１］＝１，ｂ［２］＝０，ｂ［３］＝０
第１の記号の受信において、プロセッサは以下の値を計算する：
【００３０】
【数６】
0003592357.tif 000008
【００３１】
それから、各受信された記号ｚｋ  に関して、プロセッサは以下に示す５つの動作をする：
ステップ１：計算：
【００３２】
【数７】
0003592357.tif 000009
【００３３】
ステップ２：インデックスｉ及びｊが０から３まで変化する場合の表ｃの値の計算、
【００３４】
【数８】
0003592357.tif 000010
【００３５】
ステップ３：以下の数の計算：
【００３６】
【数９】
0003592357.tif 000011
【００３７】
ステップ４：測定基準の計算：
Ｍａ  ＝ｌｏｇ（Ｆａ  ／Ｇａ  ）
Ｍｂ  ＝ｌｏｇ（Ｆｂ  ／Ｇｂ  ）
ステップ５：ｕ（．，０）中のｕ（．，２）及び（．，１）中のｕ（．，３）をコピーする。ここで表中の点（．）は表の各インデックスを意味するのに使われている。
【００３８】
測定基準計算ユニット１１０に対する他の特定の実施例では、このユニットは予め計算された測定基準が前もって格納されているメモリにより構成される。
各受信された記号に関して、整数は次のように生成される：値Ｒｅ  （ｚＫ−１  ），Ｉｍ  （ｚＫ−１  ），Ｒｅ  （ｚｋ  ），Ｉｍ  （ｚｋ  ），Ａｋ  は限られた数のビットで量子化され、それから連結される。これらの５つの実数の各々に対する量子化周期は斯して得られた整数の各値に対応する。各整数は２つの測定基準Ｍａ  とＭｂ  の予め計算された値が格納されているメモリのアドレスを構成する。この値は、Ａｋ  が量子化周期中の典型的な値で置換され、指数関数が量子化周期Ｒｅ  （ｚＫ−１  ），Ｉｍ  （ｚＫ−１  ），Ｒｅ  （ｚｋ  ），Ｉｍ  （ｚｋ  ）に対してこれらの積分により置換される式（６）によって計算される。
【００３９】
量子化及び連結の後で生成される現在の整数は記憶装置をアドレスし、測定基準の連結値をデータバス上に得るのに使われる。
ＤＡＢ規格に従う信号の場合、本発明は入来するデータフローと出てゆくデータフロー間の効率の１／２を有するコンボリューションコード用の従来技術に比べ、１．２ｄＢの利得を生ずる。この利得はより高い効率を有するコンボリューションコードに対し２．３ｄＢに達する。
【図面の簡単な説明】
【図１】デインターリービング及びコンボリューションデコーディングによる差分デコーディング用の受信機の概略ブロック系統図である。
【図２】受信された記号を元の位相に戻す回復手段の系統図である。
【図３】受信された記号を元の位相に戻す回復手段及び平均ノイズレベルと平均振幅を決定し、ノイズに関する記号のモジュラスを正規化する手段の系統図である。
【図４】差分デコーディング手段の系統図である。
【符号の説明】
５  受信機
１０  差分デコーディングユニット
１１  測定基準
１２  デインターリーバー
１３  デインターリーブされた測定基準
１４  コンボリューションデコーダー
１０２  位相計算／補正ユニット
１０３  パワー測定ユニット
１０４  評価器
１０５  振幅測定ユニット
１０６  掛算器
１０７  ノイズ測定ユニット
１０８  ミキサー
１１０  計算ユニット
ｒｋ    記号
Ｓｋ    測定された平均振幅
Ａｋ    平均振幅
Ｍｋ  ａ  ，Ｍｋ  ｂ    最適化された測定基準
【図１】
0003592357.tif 000012
【図２】
0003592357.tif 000013
【図３】
0003592357.tif 000014
【図４】
0003592357.tif 000015